(57)【特許請求の範囲】
【請求項１】
互いに上方に向かって前後方向に拡開するようにしてベース上に設けた前部支持部材と後部支持部材との対向面のいずれか一方に、複数の係合部を互いに上下方向に離間させて設け、かつ前記対向面のいずれか他方に、１または複数の係合部を、複数の場合は互いに上下方向に離間させて設け、棚板の前端部および後端部を、前記対向面における係合部に選択的に係合させることにより、前記棚板を、前部支持部材と後部支持部材との間において、水平または前下がりもしくは後下がり傾斜するようにして保持しうるようにし、さらに、前記ベース上に設けた底板の上面における前後方向の中間部に、左右方向を向く突条を設け、かつ前記突条の上方に、左右方向を向く横杆を架設し、前記棚板を垂直に向けて、その下端を底板上における前記突条の直後に載置するとともに、棚板の背面を前記横杆に前方より当接させ、さらに、前記棚板の片面に立設した仕切板の先端部を、前記前部支持部材に係合させて前記棚板を保持しうるようにしたことを特徴とする商品陳列什器。
【請求項２】
前部支持部材を前面板、後部支持部材を後面板とし、前面板の後面および後面板の前面に係合部を設けた請求項１記載の商品陳列什器。
【請求項３】
前部支持部材と後部支持部材との対向面に上下方向に離間するようにして設けられた複数の係合部のうち、上方のものを左右方向を向く凹溝とし、かつ下方のものを左右方向を向く突条とした請求項１または２記載の商品陳列什器。
【請求項４】
棚板の片面に、仕切板を、棚板に対して側面視において直角または傾斜角をなすようにして立設し、前記棚板を上下反転させることにより、前記仕切板が上方または下方を向くようにした請求項１〜３のいずれかに記載の商品陳列什器。
【発明の詳細な説明】
【技術分野】
【０００１】
本発明は、スーパーマーケット等において、青果物等の商品を陳列する商品陳列什器に関する。
【背景技術】
【０００２】
商品陳列什器には、青果物等の商品の大きさや数量等に応じて、陳列態様を多様に変化させることができるようにしたものがある(例えば特許文献１〜４参照)。
【先行技術文献】
【特許文献】
【０００３】
【特許文献１】特許第４５１４０９９号公報
【特許文献２】特許第３６３２３６３号公報
【特許文献３】特許第４０５９４４７号公報
【特許文献４】特許第４０６２５８９号公報
【発明の概要】
【発明が解決しようとする課題】
【０００４】
しかし、上述のような従来の商品陳列什器においては、陳列台の上面に、階段状の商品陳列面を形成したり、水平とした陳列台の上面に、商品を立て掛けるための枠体や仕切板等を載置するようにしたものが多く、陳列台の内部空間を有効に利用しうるものは少なかった。
【０００５】
本発明は、従来の技術が有する上記のような問題点に鑑みてなされたもので、陳列什器の内部空間を有効に利用しうるとともに、陳列しようとする商品の大きさや数量等に応じて、陳列態様を多様に、しかも簡単に変化させることができるようにした、簡単な構造の商品陳列什器を提供することを目的としている。
【課題を解決するための手段】
【０００６】
本発明によると、上記課題は、次のようにして解決される。
（１）互いに上方に向かって前後方向に拡開するようにしてベース上に設けた前部支持部材と後部支持部材との対向面のいずれか一方に、複数の係合部を互いに上下方向に離間させて設け、かつ前記対向面のいずれか他方に、１または複数の係合部を、複数の場合は互いに上下方向に離間させて設け、棚板の前端部および後端部を、前記対向面における係合部に選択的に係合させることにより、前記棚板を、前部支持部材と後部支持部材との間において、水平または前下がりもしくは後下がり傾斜するようにして保持しうるようにし、さらに、前記ベース上に設けた底板の上面における前後方向の中間部に、左右方向を向く突条を設け、かつ前記突条の上方に、左右方向を向く横杆を架設し、前記棚板を垂直に向けて、その下端を底板上における前記突条の直後に載置するとともに、棚板の背面を前記横杆に前方より当接させ、さらに、前記棚板の片面に立設した仕切板の先端部を、前記前部支持部材に係合させて前記棚板を保持しうるようにする。
【０００７】
このような構成とすると、棚板の前端部および後端部を、前部支持部材と後部支持部材との対向面における係合部に選択的に係合させることにより、棚板を、前部支持部材と後部支持部材との間において、水平または前下がりもしくは後下がり傾斜するようにして、多様な態様で保持することができる。
したがって、陳列しようとする商品の大きさや数量等に応じて、陳列態様を多様に、しかも簡単に変化させることができるとともに、棚板の前端部および後端部を、下方の係合部に係止させることにより、陳列什器の内部空間を有効に利用することができる。
さらに、部品点数を少なくでき、構造を簡素化することができる。
【０００８】
（２）上記(１)項において、前部支持部材を前面板、後部支持部材を後面板とし、前面板の後面および後面板の前面に係合部を設ける。
【０００９】
このような構成とすると、前部支持部材および後部支持部材を、特別の部品として形成する必要がなく、陳列什器の外枠構成部材の一部として形成できるので、構造を簡素化できるとともに、安価に製造することができる。
【００１０】
（３）上記(１)または(２)項において、前部支持部材と後部支持部材との対向面に上下方向に離間するようにして設けられた複数の係合部のうち、上方のものを左右方向を向く凹溝とし、かつ下方のものを左右方向を向く突条とする。
【００１１】
このような構成とすると、棚板の前端部または後端部を、下方の係合部に係合させる際に、それらが上方の係合部に当接して、下方への進入が妨げられたり、下方の係合部に係合させた棚板上に載置した商品が、上方の係合部に当接して、損傷する等のおそれを防止することができる。
【００１２】
（４）上記(１)〜(３)項のいずれかにおいて、棚板の片面に、仕切板を、棚板に対して側面視において直角または傾斜角をなすようにして立設し、前記棚板を上下反転させることにより、前記仕切板が上方または下方を向くようにする。
【００１３】
このような構成とすると、仕切板によって、棚板上を前後に仕切ることができるとともに、仕切板が不要か、または陳列の邪魔になるときは、棚板を上下反転させて、仕切板を下向きとすることができ、陳列態様の多様化をさらに促進することができる。
【発明の効果】
【００１４】
本発明によると、陳列什器の内部空間を有効に利用しうるとともに、陳列しようとする商品の大きさや数量等に応じて、陳列態様を多様に、しかも簡単に変化させることができるようにした、簡単な構造の商品陳列什器を提供することができる。
【図面の簡単な説明】
【００１５】
【図１】本発明の商品陳列什器の一実施形態における棚板を外したときの斜視図である。
【図２】仕切板を上向きとして、棚板を水平に装着したときの図１のII−II線における縦断側面図である。
【図３】仕切板を上向きとして、棚板を前下がり傾斜状態で支持したときの図２と同様の縦断側面図である。
【図４】仕切板を上向きとして、棚板をより深い前下がり傾斜状態で支持したときの図２と同様の縦断側面図である。
【図５】仕切板を下向きとして、棚板を水平に支持したときの図２と同様の縦断側面図である。
【図６】仕切板を下向きとして、棚板を前下がり傾斜状態で支持したときの図２と同様の縦断側面図である。
【図７】仕切板を下向きとして、棚板をより深い前下がり傾斜状態で支持したときの図２と同様の縦断側面図である。
【図８】仕切板を前向きとして、棚板を垂直に支持したときの図２と同様の縦断側面図である。
【発明を実施するための形態】
【００１６】
以下、本発明の一実施形態を、添付図面に基づいて説明する。
図１および図２に示すように、この商品陳列什器は、平面視方形枠状としたベース１と、このベース１上に設けられた水平の底板２と、底板２の前端より起立する前面板３と、底板２の後端より起立する後面板４と、底板２、前面板３、および後面板４、並びにそれらによって形成される左右方向の空間の両側端を閉塞する両側板５、５とからなる、上面が開口する筐体６を備えている。
筐体６内における左右方向の中間部には、前後方向を向く中仕切板７が設けられているが、この中仕切板７は省略して実施することもある。
【００１７】
前面板３と後面板４とは、それぞれ後述する棚板１２を支持するための前部支持部材と後部支持部材となっており、互いに上方に向かって前後方向に拡開するようにしてベース１上に設けられている。すなわち、前面板３は前傾し、後面板４は後傾している。しかし、前面板３と後面板４とのいずれか一方を垂直とすることもある。
【００１８】
後面板４は、前面板３より若干高寸であり、それに伴って、両側板５、５の上縁および中仕切板７の上縁は、前下がりに傾斜させてある。
【００１９】
前面板３の後面には、左右方向を向く上下２条の凹溝８、９と、その下方において左右方向を向く突条１０とが、互いに上下方向に離間させて設けられている。
後面板４の前面において、前面板３の後面における上方の凹溝８とほぼ等高の位置には、左右方向を向く１条の突条１１が設けられている。
凹溝８、９および突条１０、１１は、後述する棚板１２の前端部または後端部を係止する係合部をなしている。突条１０、１１は、左右方向を向く角材を、前面板３の後面または後面板４の前面に固着して形成されているが、前面板３または後面板４と一体的に形成してもよい。
【００２０】
棚板１２は、その後端部を後面板４の前面における突条１１上に係止し、かつ前端部を前面板３の後面における最上段の凹溝８に後方より嵌合することにより、筐体６内の上部に水平に保持されるような前後方向の長さを有している。
棚板１２の左右方向の長さは、筐体６における側板５と中仕切板７との対向面間の間隔とほぼ同一としてある。
【００２１】
図２に示すように、筐体６内の上部に水平に保持したときの棚板１２の後端寄りの上面には、棚板１２上の空間を前後に仕切る仕切板１３が、Ｌ形金具１４をもって、棚板１２に対して側面視において直角をなすようにして立設されている。
【００２２】
図２に示す状態では、棚板１２上の仕切板１３より前方の部分には、少数の商品を目立つように並べて陳列することができ、同じく仕切板１３より後方の部分には、高寸の商品を立てて陳列するか、または在庫商品を収容しておくことができる。
さらに、筐体６内における棚板１２より下方の部分には、在庫商品や備品その他のものを収容することができる。
【００２３】
陳列したい商品が大量にある場合には、棚板１２の後端部を後面板４の前面における突条１１上に載置したままの状態で、棚板１２の前端部を、図３に示すように、前面板３の後面における上から２段目の凹溝９に嵌合したり、図４に示すように、前面板３の後面における最下段の係合部である突条１０上に載置して、棚板１２の前下がり傾斜角度を漸次大とし、棚板１２の前部に大量の商品を積み重ねて陳列することができる。
【００２４】
棚板１２上の仕切板１３が邪魔になるときは、図５〜図７に示すように、仕切板１３が下方を向くように、棚板１２を上下反転させて、図２〜図４に示すものと同様に、棚板１２の後端部を後面板４の前面における突条１１上に載置し、かつ棚板１２の前端部を、前面板３の後面における凹溝８、９、または突条１０に選択的に係合させればよい。
【００２５】
このようにすることによって、仕切板１３のない棚板１２の裏面全体を、陳列面として広く使用することができる。
【００２６】
図２に示す例では、前面板３を前傾させ、かつ後方の突条１１の前上縁より前面板３の後面に下ろした垂線が、上下方向の中間の係合部である凹溝９と交わるようにし、前面板３の後面における凹溝９より上方の部分に、最上段の係合部である凹溝８を配設し、かつ前面板３の後面における凹溝９より下方の部分に、最下段の係合部である突条１０を配設してあるので、棚板１２の前後方向の長さを変動させることなく、棚板１２を、大きな下向き傾斜角度でも保持することができる。
【００２７】
図２に示すように、仕切板１３を上向きとして、棚板１２を水平に保持したときの仕切板１３より前方の棚板１２の左右方向の中央部には、棚板１２を持ち上げるための指掛け孔１５が設けられている。
【００２８】
底板２の上面における前後方向のほぼ中央部、または中央部より僅かに前方寄りの部分には、左右方向を向く突条１６が設けられている。
また、両側板５、５における前後方向および上下方向の中央部間に、左右方向を向く横杆１７を、中仕切板７を貫通するようにして架設してある。
【００２９】
上記突条１６や横杆１７を設けることにより、図８に示すように、棚板１２を垂直に向けて、その下端を底板２上における上記突条１６の直後に載置し、前方に向けた仕切板１３の先端部を前面板３の後面における最下段の係合部である突条１０上に載置し、かつ仕切板１３のない棚板１２の背面を上記横杆１７に前方より当接させた状態で棚板１２を保持することができる。
【００３０】
棚板１２を図８に示す態様で保持するには、前面板３の後面における突条１０の取付高さ、底板２上における突条１６の前後方向の取付位置、側板５における横杆１７の前後方向の取付位置等を、棚板１２における仕切板１３の取付位置、すなわち図８における棚板１２の下端から仕切板１３までの距離、図２における仕切板１３の前後方向の長さ等に基づいて定める必要がある。
【００３１】
図８に示す状態は、長さが若干異なる長尺の青果物等の商品を、垂直とした棚板１２の前後に振り分けて、短いものは前方に、長いものは後方に、それぞれ立て掛けて陳列するのに適している。
【００３２】
本発明は、上記実施形態のみに限定されるものではなく、特許請求の範囲を逸脱しない範囲で、例えば次のような変形した態様での実施が可能である。
(１)  前面板３および後面板４とは別に、棚板１２を支持する支柱状の前部支持部材と後部支持部材とを、互いに上方に向かって前後に拡開するようにしてベース１上に設ける。
(２)  後面板４の前面にも、複数の係合部としての凹溝や突条を、互いに上下方向に離間させて設け、それらに、棚板１２の後端部を選択的に係合しうるようにし、棚板１２を、後下がり傾斜状態でも保持しうるようにする。
(３)  突条１０、１１を、左右方向に連続するようにして設けるだけでなく、左右方向に間欠的に並べて設ける。または前面板３の後面もしくは後面板４の前面の両側部のみに設ける。
(４)  棚板１２の片面または両面に、仕切板１３を、棚板１２に対して側面視において前傾または後傾する傾斜角をなすようにして立設する。
【符号の説明】
【００３３】
１  ベース
２  底板
３  前面板(前部支持部材)
４  後面板(後部支持部材)
５  側板
６  筐体
７  中仕切板
８、９  凹溝(係合部)
１０、１１  突条(係合部)
１２  棚板
１３  仕切板
１４  Ｌ形金具
１５  指掛け孔
１６  突条
１７  横杆
【図１】
0005698019.tif 000002
【図２】
0005698019.tif 000003
【図３】
0005698019.tif 000004
【図４】
0005698019.tif 000005
【図５】
0005698019.tif 000006
【図６】
0005698019.tif 000007
【図７】
0005698019.tif 000008
【図８】
0005698019.tif 000009